(57)【特許請求の範囲】
【請求項１】
雄ホックの雄部が臨入する納まり凹部と当該納まり凹部の側壁に装備した雄部の銜え止めバネと同納まり凹部の側壁における開口側半分から外方に張り出す構成にした上記銜え止めバネの装入用鍔状部からなる雌ホック本体を布や革等製品に取付けるのに用いる雌ホック用止め脚体であって、金属板材料を以て構成した座板部の中央にカシメ脚部を絞出した雌ホック本体用の止め脚体本体を有し、この止め脚体本体には上記カシメ脚部の付け根を囲繞する個所を円錐台形となすことによって円錐台形を呈する上記納まり凹部の逃げ用凹状空間と挟み鍔部とを形成し、上記の座板部は、上記逃げ用凹状空間の壁と上記納まり凹部の壁との間および上記挟み鍔部と上記銜え止めバネ装入用鍔状部との間によって上記布や革等製品の取付孔の切縁を挟み止めうるようにして成ることを特徴とする雌ホック用止め脚体。
【請求項２】
上記挟み鍔部における銜え止めバネ装入用鍔状部と対応する側の面を、その外周側半分が上記銜え止めバネ装入用鍔状部に向うに従って径大となる円錐形を呈し同じく内周側半分が同銜え止めバネ装入用鍔状部に向うに従って径小となる円錐形を呈するべくしたことを特徴とする請求項１記載の雌ホック用止め脚体。
【請求項３】
上記挟み鍔部の外周縁を捲くり返し縁としたことを特徴とする請求項１または２記載の雌ホック用止め脚体。
【発明の詳細な説明】
【０００１】
【発明が属する技術分野】
本発明は、雄ホックの雄部が臨入する納まり凹部と当該納まり凹部の側壁に装備した雄部の銜え止めバネと同納まり凹部の側壁における開口側半分から外方に張り出す構成にした上記銜え止めバネの装入用鍔状部からなる雌ホック本体を布や革等製品に取付けるための、金属板材料を以て構成した座板部の中央にカシメ脚部を絞出した雌ホック用止め脚体に関するものである。
【０００２】
【従来の技術】
従来、この種の雌ホック用止め脚体は、図６および図７に示すような、金属板材料を以て構成した平らな座板部の中央にカシメ脚部を絞出した形状のものであって、雌ホックにおける雄部納まり凹部の逃げ空間を確保するためにできる厚さと布や革の厚さとの差を解消する必要からリング形状のスペーサを入れて用いるものであった。
【０００３】
このようにスペーサを入れるために（ａ）所謂厚ぼったい感がして体裁がわるい、（ｂ）スペーサを用意しなければならない不経済性がある、（ｃ）製造時にはスペーサを挿入しなければならない煩わしさがある等の問題点があった。
【０００４】
【発明が解決しようとする課題】
本発明は、上記したような諸問題点を解消するための工夫を施した新規の雌ホック用止め脚体を提供することを目的とする。
【０００５】
【課題を解決するための手段】
上記目的を達成するために請求項１に係る雌ホック用止め脚体は、雄ホックの雄部が臨入する納まり凹部と当該納まり凹部の側壁に装備した雄部の銜え止めバネと同納まり凹部の側壁における開口側半分から外方に張り出す構成にした上記銜え止めバネの装入用鍔状部からなる雌ホック本体を布や革等製品に取付けるのに用いる雌ホック用止め脚体であって、金属板材料を以て構成した座板部の中央にカシメ脚部を絞出した雌ホック本体用の止め脚体本体を有し、この止め脚体本体には上記カシメ脚部の付け根を囲繞する個所を円錐台形となすことによって円錐台形を呈する上記納まり凹部の逃げ用凹状空間と挟み鍔部とを形成し、上記の座板部は、上記逃げ用凹状空間の壁と上記雄部用納まり凹部の壁との間および上記挟み鍔部と上記銜え止めバネ装入用鍔状部との間によって上記布や革等製品の取付孔の切縁を挟み止めうるようにして成るものである。
【０００６】
そして、請求項２に係る雌ホック用止め脚体は、上記挟み鍔部における銜え止めバネ装入用鍔状部と対応する側の面を、その外周側半分が上記銜え止めバネ装入用鍔状部に向うに従って径大となる円錐形を呈し同じく内周側半分が同銜え止めバネ装入用鍔状部に向うに従って径小となる円錐形を呈するべくしたものである。
【０００７】
また、請求項３に係る雌ホック用止め脚体は、上記挟み鍔部の外周縁を捲くり返し縁としたものである。
【０００８】
【実施例】
図１および図２に示す第１実施例は、雄ホックの雄部（図示せず）が臨入する納まり凹部１と当該納まり凹部１の側壁に装備した銜え止めバネ２と同納まり凹部１の壁１１における開口側半分から外方に張り出す構成にした上記銜え止めバネ２の装入用鍔状部３からなる雌ホック本体４を布や革等製品５に取付けるための、金属板材料を以て構成した座板部７の中央にカシメ脚部８を絞出した雌ホック本体４用の止め脚体本体９を有し、この止め脚体本体９には上記カシメ脚部８の付け根を囲繞する個所を円錐台形となすことによって円錐台形を呈する上記納まり凹部１の逃げ用凹状空間１２と挟み鍔部１３とを形成し、上記の座板部７は、当該座板部７における上記逃げ用凹状空間１２の壁１０と上記納まり凹部１の壁１１との間および上記挟み鍔部１３と上記銜え止めバネ装入用鍔状部３との間に上記布や革等製品５の取付孔１５の切縁１６を挟み止めうるようにし、更に上記挟み鍔部１３における銜え止めバネ装入用鍔状部３と対応する側の面を、その外周側半分１７が上記銜え止めバネ装入用鍔状部３に向うに従って径大となる円錐形を呈し同じく内周側半分１８が同銜え止めバネ装入用鍔状部３に向うに従って径小となる円錐形を呈するべくしたものである。
【０００９】
図３に示す第２実施例は、挟み鍔部１３の外周縁が布を切ってしまわないようにするため、より体裁をよくするため、且つ丈夫にするために同外周縁に捲くり返し縁１９を設けたものである。
【００１０】
図４に示す第３実施例は、挟み鍔部１３をフラットな形状としたものであり、また図５に示す第４実施例は、更に挟み鍔部１３の外周縁に捲くり返し縁１９を設けたものである。
【００１１】
【作用】
本発明に係る雌ホック用止め脚体９を用いて雌ホック本体４を布、革等製品５に取付けた場合には、図１に示す通り、布、革等製品５に明けた取付孔１５の切り縁１６が、座板部７における上記逃げ用凹状空間１２の壁１０と上記雄部用納まり凹部１の壁１１との間および上記挟み鍔部１３と上記銜え止めバネ装入用鍔状部３との間に挟み止められ且つ挟み鍔部１３と銜え止めバネ装入用鍔状部３とによって波状に曲がった状態で挟み止められることとなって所謂ほつれを起し難い二重の状態に止着され、しかも、この取付状態のときには同図でもはっきりしているようにスペーサをいらなくでき、その分、周辺個所を体裁よく薄くできるものである。
【００１２】
【発明の効果】
すなわち、本発明によれば、（Ａ）所謂厚ぼったい感がしなく体裁がよい、（Ｂ）スペーサを用意しなくともよいので経済性である、（Ｃ）製造時にはスペーサを挿入しなくともよいので煩わしさがない等の著効を有する新規の雌ホック用止め脚体を容易に提供でき、
所期の目的を完全に達成できる。
【図面の簡単な説明】
【図１】本発明の第１実施例を示す拡大断面図である。
【図２】同じく分解断面図である。
【図３】第２実施例を示す拡大断面図である。
【図４】第３実施例を示す拡大断面図である。
【図５】第４実施例を示す拡大断面図である。
【図６】従来例を示す拡大断面図である。
【図７】同じく分解断面図である。
【符号の説明】
１  凹部
２  銜え止めバネ
３  銜え止めバネ装入用鍔状部
４  雌ホック本体
５  製品
７  座板部
８  カシメ脚部
９止め脚体本体
１０逃げ用凹状空間１２の壁
１１納まり凹部１の壁
１２  逃げ凹状空間
１３  挟み鍔部
１５  取付孔
１６  切り縁
１７外周側半分
１８内周側半分
１９  捲くり返し縁
【図１】
0003918171.tif 000002
【図２】
0003918171.tif 000003
【図３】
0003918171.tif 000004
【図４】
0003918171.tif 000005
【図５】
0003918171.tif 000006
【図６】
0003918171.tif 000007
【図７】
0003918171.tif 000008